(57)【要約】【課題】この発明は、ジョイントポールなど組立棚を構成する板材を結合する部材を可及的に目立たなくすることを第一の課題とするものである。【解決手段】この発明は、底板１の上面に複数の側板２を配設し、側板の上端に天板３を配設した組立棚において、前記側板２には上下に貫通するジョイント孔４を設け、前記底板１には前記側板２のジョイント孔４に対応する位置に穴５を設け、前記天板の下面側には前記側板のジョイント孔に対応する位置に穴６を設ける。前記ジョイント孔４にジョイントポール８を挿通し、このジョイントポール８の下端は前記底板の穴５に挿入し、上端は前記天板の穴６に挿入する。このジョイントポールの両端にはねじ溝を形成し、このねじ溝にそれぞれ受け具を螺合して、底板１、側板２、天板３を固定する。【選択図】  図６
2010184100.tif 000002
【特許請求の範囲】
【請求項１】
底板の上面に複数の側板を配設し、側板の上端に天板を配設した組立棚において、
少なくとも２枚の側板には上下に貫通するジョイント孔が設けられ、
前記底板には前記側板のジョイント孔に対応する位置に穴が設けられ、
前記天板の下面側には前記側板のジョイント孔に対応する位置に穴が設けられ、
前記ジョイント孔にジョイントポールが挿通され、このジョイントポールの下端は前記底板の透孔に挿入され、上端は前記天板の穴に挿入され、
前記ジョイントポールの両端にはねじ溝が形成され、このねじ溝にそれぞれ受け具が螺合され、
もって、底板、側板、天板が固定された組立棚
【請求項２】
天板の穴は有底とし、天板の端面から前記穴に連通する横穴が設けられ、ジョイントポールの上端部のネジ溝に螺合する受け具は前記横穴に配設された、請求項１記載の組立棚
【請求項３】
ジョイントポールの上端部には段部を介して小径部が形成され、この小径部の外周面にネジ溝が形成され、ジョイントポールの下端部には縦穴が形成され、この縦穴の内周面にネジ溝が形成された、請求項１記載の組立棚
【請求項４】
ジョイントポールの上端部に形成されたネジ溝は、ジョイントポールの下端部に形成されたネジ溝に螺合しえる寸法とした、請求項３記載の組立棚
【発明の詳細な説明】
【技術分野】
【０００１】
この発明は組立棚に関するものである。
【背景技術】
【０００２】
従来の組立棚は、棚板の四隅に支柱（例えばアングル材）を立設し、この支柱に棚板を固定するようにしたもの（例えば特開２００３−３８２６４号）、底板と天板それぞれの四隅に貫通孔を設け、この貫通孔に支柱の端部を挿通してねじで固定するようにしたもの（例えば特開２００４−２１５８８４号）などが知られている。
これらの構成の組立棚は支柱が露出した構成であって、側板を備えた棚に適用することはできない。また、棚板の数あるいは組立棚全体の高さが予め固定され、自由に棚板の数や高さを選択することができない。
そして、側板を備えた組立棚に関しては、棚板の配置に自由度を得るために棚板に金属棒を挿通させて側板に固定する構成が提案されているが（特開２００８−５５０３２号）、これも高さは側板の高さで決められており、高さを自由に変更することはできない。
【特許文献１】特開２００３−３８２６４号公報
【特許文献２】特開２００４−２１５８８４号公報
【特許文献３】特開２００８−５５０３２号公報
【発明の開示】
【発明が解決しようとする課題】
【０００３】
この発明は、ジョイントポールなど組立棚を構成する板材を結合する部材を可及的に目立たなくすることを第一の課題とし、任意の数の棚板を備えた組立棚を容易に組み立てることができ、かつ強固なものとすることを第二の課題とするものである。
【課題を解決するための手段】
【０００４】
この発明は、底板の上面に複数の側板を配設し、側板の上端に天板を配設した組立棚を以下のように構成することにより上記第一の課題を解決するものである。
前記側板には上下に貫通するジョイント孔を設け、前記底板には前記側板のジョイント孔に対応する位置に穴を設け、前記天板の下面側には前記側板のジョイント孔に対応する位置に穴を設ける。
前記ジョイント孔にジョイントポールを挿通し、このジョイントポールの下端は前記底板の穴に挿入し、上端は前記天板の穴に挿入する。このジョイントポールの両端にはねじ溝を形成し、このねじ溝にそれぞれ受け具を螺合して、底板、側板、天板を固定する。
【０００５】
上記において、側板は両端の板の他、仕切り板を含むものである。
組立棚において、底板、側板、天板を結合して棚の形とするためには、最低２枚の側板が底板、天板と結合していることが必要である。したがって、この発明においても最低２枚の側板が上記構成によって底板、天板と結合することが必要である。上記構成によって結合される側板は、必ずしも棚の両端に位置するものである必要はない。側板の何れか２枚が上記構成によって底板及び天板と結合されていればよい。
上記において底板及び天板に設けられる穴は、有底穴でも貫通したものでもよい。そして、ジョイントポールの端部と前記受け具とで底板及び天板を挟み込んで固定する。そのための構造としては、例えば以下の構造が考えられる。
請求項３に記載したようにジョイントーポールの上端部に、段部を介して小径部を形成し、この段部を天板の下面に当接させ、下端部を底板の上面に当接させ、各ねじ溝に螺合する受け具とで底板及び天板を挟み込むようにする構造。
ジョイントポールの端部にねじ溝として袋ナットを形成し、ジョイントポールの先端面を底板の上面及び天板の下面に当接させ、各ねじ溝に螺合する受け具とで底板及び天板を挟み込むようにする構造。
【０００６】
請求項２の発明は、天板にその端面から前記穴に連通する横穴を設け、ジョイントポールの上端部のネジ溝に螺合する受け具を前記横穴に配設したものである。
この構成により、天板の外観から結合のための構成部材は一切見えず、これが完全に隠されることとなる。
【０００７】
請求項３の発明は、ジョイントポールの上端部に段部を介して小径部を形成し、この小径部の外周面にネジ溝を形成し、ジョイントポールの下端部には縦穴を形成し、この縦穴の内周面にネジ溝を形成したものである。すなわち、上端部はボルト状、下端部は袋ナット状としてある。
請求項４の発明は、ジョイントポールをこのような構成とした上で、前記ボルト状部分が前記袋ナット状部分に螺合しえる寸法としたものである。この構成により、ジョイントポールの上端と下端とを螺合連結することができ、所望の高さとして棚板を所望の段数組み込むことができる。
【発明の効果】
【０００８】
この発明によれば、ジョイントポールは側板のジョイント孔に挿通されているので外部からは見えない。加えて請求項２の発明によれば天板の穴は有底であるから穴は外部から見えない。側板には穴が設けられるが、高さが低い棚の場合側板よりも天板の方がより目に付きやすいので、天板に穴がないことにより穴の存在は低減される。
また、請求項４の発明によれば、ジョイントポールを何本でも連結できるので、底板を何枚でも結合できる。底板を複数枚結合した棚において底板は中間の棚板として機能することになるので、結局の所、棚板の数を所望により変更でき、複数段の組立棚を得ることができる。
【発明を実施するための最良の形態】
【０００９】
以下実施例に基づいて説明する。
【実施例１】
【００１０】
図１、図４において、底板１の左右両端に側板２が配設してあり、２枚の側板２の上端面間に天板３が配設してある。前記各側板２の両側には上下に貫通するジョイント孔４が設けてあり、底板１の四隅には前記ジョイント孔４に対応する位置に透孔５が設けてあり、天板３の下面四隅には前記ジョイント孔４に対応する位置に有底の穴６が設けてある。そして、前記底板の透孔５及び天板の穴６の直径は開口側をジョイント孔４と同等とし、内方は段部７を介してジョイント孔４の直径よりも小さい小径部９としてある。
【００１１】
前記ジョイント孔４には金属製のジョイントポール８（図５参照）が挿通してある。このジョイントポール８は前記ジョイント孔４とほぼ同径の硬質丸棒である。その下端部（図５中右側）には丸穴１０が設けられ、この丸穴の内周にねじ溝１１を形成して袋ナット状としてある。また上端部には段部１２を介して天板の穴６とほぼ同径の小径部１３が形成してあり、この小径部１３の外周にねじ溝１４が形成してある。
【００１２】
前記側板２のジョイント孔４に挿通されたジョイントポール８の下端は底板１の上面の段部７に当接している。またジョイントポール８の上端の段部１２は天板３の段部７に当接し、小径部１３は穴６の小径部９に挿入されている。そして、前記ジョイントポール８の下端に形成されたねじ溝１１には下端受け具１５が螺合し、ジョイントポール８の上端に形成されたねじ溝１４には上端受け具１６が螺合している。
【００１３】
前記下端受け具１５は鍔付のねじであって、鍔１７と前記ジョイントポール８の下端面とで底板１を緊密に挟み込んでいる。また前記上端受け具１６は鬼目ナットであって、天板３に固着されている。
【００１４】
上記構成により、底板１，側板２，天板３はジョイントポール８によって固定され、棚が構成される。
なお、図１において左右の側板２の間にある仕切り板１９は、上記と同様にジョイントポールによって固定してもよいが、底板及び天板との凹凸嵌合による固定としてもよい。
【００１５】
上記において、ジョイントポール８の下端のねじ溝１１と上端のねじ溝１３とは螺合する寸法としてある。すなわち、ジョイントポール８の上下端には、受け具として鍔付ねじやナットに代えて、ジョイントポールを螺合させてこれを受け具とすることができる。
ジョイントポールを受け具として使用することにより、上記底板１と同じ構成の棚板１８を複数段組み込むことができる（図６参照）。この場合、中間の棚板１８は下方のジョイントポール８ａの上部の段部１２と上方のジョイントポール８ｂの下端面とで挟み込まれて固定される。
【００１６】
図７は、天板の固定に関する別の例であり、請求項４の発明に係るものである。
天板３にジョイントポール８を挿入する有底の穴６が設けてあり、この穴６に向けて天板３の端面から横穴２０が設けてある。この横穴２０に受け具２１を装着する。
この受け具２１は円柱であって直径的にねじ孔２２が形成してあり、このねじ孔２２にジョイントポール８の上端のねじ溝１４を螺合する。これにより、ジョイントポール８の上端は天板３に固定される。
【００１７】
図７の構造により、低い棚板においてよく目立つ部位である天板上面から、組立のための部材が隠される。
【産業上の利用可能性】
【００１８】
この発明によれば、側板を備えた組立棚において、底板、側板、天板を固定するための部材を目立たなくすることができ、加えて所望の段数の棚板を備えた組立棚を得ることができ、産業上の利用可能性を有するものである。
【図面の簡単な説明】
【００１９】
【図１】この発明実施例の正面図
【図２】同じく底板の平面図
【図３】同じく天板の底面図
【図４】同じく一部拡大断面図
【図５】同じくジョイントポールの拡大正面図
【図６】棚板を追加した実施例の断面図
【図７】天板における別の実施例を示す一部拡大断面図
【符号の説明】
【００２０】
１    底板
２    側板
３    天板
４    ジョイント孔
５    透孔
６    穴
７    段部
８    ジョイントポール
９    小径部
１０  穴
１１  ねじ溝
１２  段部
１３  小径部
１４  ねじ溝
１５  受け具
１６  受け具
２０  横穴
２１  受け具
２２  ねじ孔
【図１】
2010184100.tif 000003
【図２】
2010184100.tif 000004
【図３】
2010184100.tif 000005
【図４】
2010184100.tif 000006
【図５】
2010184100.tif 000007
【図６】
2010184100.tif 000008
【図７】
2010184100.tif 000009